(57)【要約】      （修正有）【課題】バックフォーカス調整用スペーサの調整量増減の影響を受けず、アクセサリ側マウント及びカメラ側マウントの構造への大きな加工が不要で、且つ、弾性部材の交換が容易な簡単な構成の防塵防滴機構を備えたカメラアクセサリを提供する。【解決手段】テレコンバータは、光学系を内在する鏡筒１１０と、カメラ側マウント２１０と係合するコンバータ側マウント１２０と、鏡筒１１０とコンバータ側マウント１２０との間に配置され、テレコンバータのバックフォーカス調整を行う厚みｄを持った調整用スペーサ１３０ａと、コンバータ側マウント１２０との間で環状弾性部材３１０を狭持する押え環３２０ａとを備える。環状弾性部材３１０は、調整用スペーサ１３０ａと接しない位置に配置され、スペーサの厚み増減に応じて、鏡筒１１０に対してコンバータ側マウント１２０及び押え環３２０ａと一体で光軸方向に移動する。【選択図】図３
2009300928.tif 000002
【特許請求の範囲】
【請求項１】
被写体光を透過する光学系を内在するアクセサリ本体と、
前記アクセサリ本体に設けられ、カメラ本体に設けられたカメラ側マウント部材と係合するアクセサリ側マウント部材と、
前記カメラ本体の所定部位に密着当接する環状弾性部材と、
を有するカメラアクセサリにおいて、
前記カメラアクセサリは、前記アクセサリ本体と前記アクセサリ側マウント部材との間に配置される環状部材と、前記アクセサリ側マウント部材との間で前記環状弾性部材を光軸方向に狭持する押え環とをさらに備え、
前記環状弾性部材は、前記アクセサリ側マウント部材に接し、且つ、前記環状部材と接しない位置に狭持され、
前記アクセサリ側マウント部材と前記押え環と前記環状弾性部材とは、前記環状部材の厚み増減に応じて、前記アクセサリ本体に対して一体となって光軸方向に移動する
ことを特徴とするカメラアクセサリ。
【請求項２】
前記環状部材は、前記カメラアクセサリのバックフォーカス調整を行う調整用スペーサである
ことを特徴とする請求項１に記載のカメラアクセサリ。
【請求項３】
前記押え環は、前記アクセサリ本体上の光軸方向の任意位置に固定するための固定構造を有する
ことを特徴とする請求項１又は２に記載のカメラアクセサリ。
【請求項４】
前記固定構造は、前記押え環の内周面に設けられ、前記アクセサリ本体と光軸方向に螺合するためのねじ構造である
ことを特徴とする請求項３に記載のカメラアクセサリ。
【請求項５】
前記固定構造は、前期押え環に設けられ、前記アクセサリ本体にビス締結するための光軸方向に長いビス穴である
ことを特徴とする請求項３に記載のカメラアクセサリ。
【請求項６】
前記押え環は、前記アクセサリ側マウント部材のカメラ側マウント部材と当接しない部位に着脱自在に固定される
ことを特徴とする請求項１又は２に記載のカメラアクセサリ。
【請求項７】
カメラ本体と、請求項１乃至６のいずれかに記載のカメラアクセサリと、
を有するカメラシステム。
【発明の詳細な説明】
【技術分野】
【０００１】
本発明はカメラアクセサリに関し、より詳細にはカメラアクセサリとカメラ本体との間を水密状態に結合するカメラアクセサリの防塵防滴機構に関する。
【背景技術】
【０００２】
レンズ鏡筒を着脱自在に装着できるレンズ交換式カメラにおいては、カメラ本体とレンズ鏡筒の間に設けられたマウント機構によって、カメラ本体とレンズ鏡筒とが連結され、一体化されるようになっている。このマウント機構には様々な種類があり、現在のレンズ交換式カメラ、例えば一眼レフレックスカメラにおいてはバヨネット方式のマウント機構が一般的となっている。
【０００３】
一般的な構成のバヨネット式マウント機構においては、レンズ鏡筒とカメラ本体との間の防塵防滴については何ら考慮されておらず、雨中や塵埃の多い環境下で使用するとカメラに不具合が生じることがある。例えば雨中で使用した場合には、レンズ鏡筒とカメラ本体との間の隙間から雨水が侵入し、カメラやレンズの構成部品にカビを発生させたり、電子部品を故障させる可能性がある。また、例えば塵埃の多い建設現場で使用した場合には、レンズ鏡筒とカメラ本体との間の隙間から塵埃が侵入し、レンズや撮像素子の表面に付着して撮影性能を低下させたり、レンズ鏡筒のカム溝やカメラ本体のミラーボックス等の駆動部に入り込むことで、駆動部の動きに支障をきたす可能性がある。
【０００４】
そこで、このような可能性を低減するためにマウント機構に防塵防滴性能を持たせたものが、従来より種々提案されている。
【０００５】
例えば、特許文献１に開示の発明は、カメラ本体に設けられたカメラ側マウントと係合するアクセサリ側マウント部材をアクセサリ本体に取り付けて構成されるカメラアクセサリにおいて、アクセサリ側マウント部材とアクセサリ本体の外観部材との間に挟み込まれて保持されるとともに、アクセサリ側マウント部材とカメラ側マウントとの係合時にカメラ本体におけるカメラ側マウントの外周を囲む部分に密着する弾性部材を設け、さらに弾性部材におけるカメラ本体への密着部分を、先端に向かって広がる錐形状に形成するような構成としている。
【０００６】
また、特許文献２に開示の発明は、交換レンズ鏡筒における防水リングを、後カバー部材の内周部位とレンズマウント部材の外周部位とレンズマウント部材の光軸方向の位置調整用スペーサとで囲まれた環状空洞領域の内部に収容固定される固定環状部と、この固定環状部に連なり上記レンズマウント部材の外表面周辺部を覆う被覆環状部と、この被覆環状部に連なり交換レンズ鏡筒本体の光軸方向に沿って延び、カメラボディにおけるボディマウント部材のマウント面に所定圧力で当接可能な当接環状部とからなるような構成としている。
【０００７】
【特許文献１】特許第３７２８０８０号公報（特開平１１−１７４５６２号公報）
【特許文献２】特開２００５−１７３９３号公報
【発明の開示】
【発明が解決しようとする課題】
【０００８】
アクセサリ側マウントとカメラ側マウントとは、レンズ交換が可能な一眼レフカメラシステムにおいて精密な光軸出しを担う重要な部材であり、強度と共に高い製造精度・組み立て精度が求められる。すなわち、交換レンズ鏡筒やコンバージョンレンズ等のカメラアクセサリに設けられた光学系の中心軸とカメラ本体内の固体撮像素子の中心軸とを極力一致させる必要があり、この精度が一眼レフカメラシステムの撮影性能に大きく影響してくる。
【０００９】
ところでカメラアクセサリには一般的に、レンズの光学特性のばらつきや部品の寸法誤差に起因するバックフォーカスのズレを修正するために、アクセサリ側マウントとアクセサリ本体との間に調整用スペーサが挟まれていることが多い。この調整用スペーサの必要な厚みは各製品各個体ごとにバラバラである。
【００１０】
特許文献１に開示の発明（図３を参照）では、弾性部材はマウント環の外周とレンズ外装環の内周との間に径方向にチャージされた状態で挟み込まれて保持されているため、バックフォーカスのズレを修正するには調整用スペーサをマウント環とレンズ外装環との間に光軸方向に挟み込むことになる。しかし、このような構成とすると、レンズ外装環に対してマウント環が調整用スペーサの厚み分だけカメラ側にシフトするが、弾性部材は移動しない。つまり、弾性部材においてマウント面から突出する円錐形状部の長さが短くなり、その結果、弾性部材のカメラへの密着力が低下し、防水性が得られなくなる恐れがある。
【００１１】
特許文献２に開示の発明には、位置調整用スペーサを含んだ構成が示されており、位置調整用スペーサの厚みの増減に対して、防水リングのカメラへの密着力が低下することはない（図３を参照）。しかし特許文献２の構成では、防水リングの抜け防止のため、固定環状部を収納するための加工を後カバー部材にではなくレンズマウント部材に施しており、レンズマウント部材においてボディマウント部材のマウント面に当接する箇所の強度が低下してしまっている。
【００１２】
また特許文献１及び特許文献２に開示の発明では、共に、弾性部材をアクセサリ本体とレンズマウントとの間に狭持する構成となっているが、弾性部材が抜け止め用の領域にしっかりと収納されていないと、アクセサリ本体とレンズマウントとの間に弾性部材が挟まってしまい、マウントが傾く。これにより光軸のズレと像の倒れが発生し、撮影性能が低下する可能性がある。
【００１３】
また、防水に用いられる弾性部材は一般に経年劣化を起こすため、長く使用しているとアクセサリ側マウントに狭持された弾性部材を交換する必要が生まれる。このとき、特許文献１及び特許文献２に開示の発明ではマウントを外さなくてはならず、レンズなどの分解に不慣れな一般ユーザーがマウント部に手を加えることでレンズとカメラの光軸にズレが生じ、カメラシステムの撮影性能が低下する恐れが生じる。
【００１４】
本発明はこのような状況に鑑みてなされたものであり、バックフォーカス調整用スペーサの調整量増減の影響を受けず、アクセサリ側マウント及びカメラ側マウントの構造への大きな加工が不要で、弾性部材の交換が容易な簡単な構成の防塵防滴機構を備えたカメラアクセサリを提供することを目的とする。
【課題を解決するための手段】
【００１５】
上記目的を達成するために、本発明は、
被写体光を透過する光学系を内在するアクセサリ本体と、
前記アクセサリ本体に設けられ、カメラ本体に設けられたカメラ側マウント部材と係合するアクセサリ側マウント部材と、
前記カメラ本体の所定部位に密着当接する環状弾性部材と、
を有するカメラアクセサリにおいて、
前記カメラアクセサリは、前記アクセサリ本体と前記アクセサリ側マウント部材との間に配置され、前記カメラアクセサリのバックフォーカス調整を行う調整用スペーサと、前記アクセサリ側マウント部材との間で前記環状弾性部材を光軸方向に狭持する押え環とをさらに備え、
前記環状弾性部材は、前記アクセサリ側マウント部材に接し、且つ、前記環状部材と接しない位置に狭持され、
前記押え環は、前記アクセサリ本体上の光軸方向の任意位置に固定するための固定構造を有し、
前記アクセサリ側マウント部材と前記押え環と前記環状弾性部材とは、前記環状部材の厚み増減に応じて、前記アクセサリ本体に対して一体となって光軸方向に移動する構成としたものである。
【００１６】
この他、本発明は、
被写体光を透過する光学系を内在するアクセサリ本体と、
前記アクセサリ本体に設けられ、カメラ本体に設けられたカメラ側マウント部材と係合するアクセサリ側マウント部材と、
前記カメラ本体の所定部位に密着当接する環状弾性部材と、
を有するカメラアクセサリにおいて、
前記カメラアクセサリは、前記アクセサリ本体と前記アクセサリ側マウント部材との間に配置され、前記カメラアクセサリのバックフォーカス調整を行う調整用スペーサと、前記アクセサリ側マウント部材との間で前記環状弾性部材を光軸方向に狭持する押え環とをさらに備え、
前記環状弾性部材は、前記アクセサリ側マウント部材に接し、且つ、前記環状部材と接しない位置に狭持され、
前記押え環は、前記アクセサリ側マウント部材のカメラ側マウント部材と当接しない部位に着脱自在に固定され、
前記アクセサリ側マウント部材と前記押え環と前記環状弾性部材とは、前記環状部材の厚み増減に応じて、前記アクセサリ本体に対して一体となって光軸方向に移動する構成としたものである。
【発明の効果】
【００１７】
本発明を実施のカメラアクセサリの防塵防滴機構によれば、弾性部材をアクセサリ側マウントと押え環との間で狭持し、押え環をアクセサリ側マウントと一体で光軸方向に進退可能な構造とすることで、アクセサリ本体とアクセサリ側マウントとの間に配置されるバックフォーカス調整用スペーサの調整量増減の影響を受けず、アクセサリ側マウント及びカメラ側マウントの構造への大きな加工が不要で、さらに弾性部材の交換が容易な簡単な構成の防塵防滴機構を備えたカメラアクセサリを提供することができる。
【発明を実施するための最良の形態】
【００１８】
以下、添付の図面に従って本発明を実施するための最良の形態について説明する。なお、この実施の形態により本発明が限定されるものではない。
【００１９】
図１は、本発明の一実施形態であるテレコンバータと、テレコンバータが装着されるカメラ本体とを有するカメラシステムの外観を示した斜視展開図である。図２は、図１に示したテレコンバータに備えられた防塵防滴機構の主要部品の断面図である。図３は、図１に示したテレコンバータをカメラ本体に装着したときの機構周辺の拡大図である。図４は、図３の構成において調整用スペーサの厚みが増したものに変更したときの機構周辺の拡大図である。図５は、本発明の他の実施形態であるテレコンバータをカメラ本体に装着したときの機構周辺の拡大図である。図６は、本発明の他の実施形態である交換レンズをカメラ本体に装着したときの機構周辺の拡大図である。
【００２０】
図１の斜視展開図に示すテレコンバータ１００は、鏡筒１１０とコンバータ側マウント１２０とからなる。鏡筒１１０は、テレコンバータ１００の被写体側に結合される不図示の交換レンズが持つ本来の焦点距離を望遠側へシフトする特性を持った光学系を有する。コンバータ側マウント１２０はバヨネット式のマウントであり、鏡筒１１０の後端面に複数個のコンバータ側マウント固定ビス１４０で固定されている。
【００２１】
鏡筒１１０の後方外周面には防塵防滴機能を提供するための後述する所定の形状を持った環状弾性部材３１０と、この環状弾性部材３１０をコンバータ側マウント１２０との間で挟み込むための押え環３２０ａが取り付けられる。
【００２２】
カメラ本体２００は、本発明を実施したテレコンバータ１００を取り付けるための典型的なレンズ交換式一眼レフカメラであり、交換レンズやコンバータ等のカメラアクセサリと結合するためのバヨネット式のカメラ側マウント２１０を備えている。カメラ側マウント２１０は、カメラ本体２００内の不図示のメインフレームの一部に、複数個の不図示のカメラ側マウント固定ビスにより固定されている。
【００２３】
このカメラ本体２００とテレコンバータ１００とは、以下の要領で結合される。すなわち、カメラ側マウント２１０に対してコンバータ側マウント１２０のバヨネット爪を噛み合わせることにより、コンバータ側のバヨネット爪とカメラ側のバヨネット爪とが咬合状態でバヨネット同士が係合され、カメラ本体２００に対してテレコンバータ１００の結合が可能となる。このとき、カメラ側マウント２１０のそれぞれのバヨネット爪の裏面に備えられる不図示の板バネの強い抗力によってコンバータ側マウント１２０のバヨネット爪の裏面を押し、カメラ側のマウント面にコンバータ側のマウント面を圧接した状態となる。
【００２４】
カメラ本体２００の外観部には、レリーズボタン２２０や、撮影モード等の設定を行うためのモード設定ダイヤル２３０や、連写モード、シーン選択等の設定を行うためのジョグダイアル等を含む不図示の操作部が設けられている。この操作部での操作に応じた信号がメイン基板内のＣＰＵに入力され、カメラの動作が制御される。
【００２５】
レンズ交換式一眼レフカメラの撮影動作は以下のものが一般的である。すなわち、カメラ本体２００のレリーズボタン２２０を押すことで、レンズ鏡筒の撮影光学系から取り込まれた被写体光を光軸上に配置した固体撮像素子に入射する。入射した被写体光はＣＣＤやＣＭＯＳ等の固体撮像素子内で電荷量に応じた信号電荷に光電変換された後、電圧に変換され出力される。固体撮像素子から出力された出力電圧は、Ａ／Ｄ変換器、ホワイトバランス補正回路、ガンマ補正回路等の信号・画像処理部によって所定の信号処理及び画像処理が行われる。処理が行われた画像データはＳＤカード（登録商標）等の不図示の記録媒体に記録される。
【００２６】
環状弾性部材３１０による防塵防滴の方法は、公知の手段を用いればよい。本実施例では、図２の断面図に示すように、環状弾性部材３１０は、その前端部に全周にわたって設けられたフランジ部３１１を、押え環３２０ａとコンバータ側マウント１２０との間に挟み込むことで保持される。環状弾性部材３１０は上述したフランジ部３１１の他に、光軸方向に伸びる円筒部３１２を有していて、全体としてＬ字形の断面を有している。円筒部３１２は、環状弾性部材３１０がコンバータ側マウント１２０の所定位置に配置された状態でコンバータ側のマウント面よりも不図示のカメラ撮像面側に伸長するような形状であり、伸長した先端がカメラ本体２００に設けられたカメラ側マウント２１０と密着することにより結合部の防塵防滴効果を発揮することができる。なお、円筒部３１２の先端形状は、カメラ側マウント２１０とコンバータ側マウント１２０とを係合させたときに、両マウントに噛み込まれないような形状であれば何でもよい。例えば、先端に近づくにつれて円筒部３１２の内径が増大するようなテーパー面や曲面を有した形状が考えられる。本実施例の環状弾性部材３１０は、先端形状が曲面を有したものを用いている。
【００２７】
押え環３２０ａの内周面には雌ねじを有した雌ねじ部３２１が設けられ、鏡筒１１０の外周面後端部には、この雌ねじ部３２１に対応する雄ねじを有した雄ねじ部１１１が設けられている。互いのねじ部を噛み合わせることで、鏡筒１１０に押え環３２０ａを取り付けることができる。
【００２８】
押え環３２０ａの後端部には、半径方向内側に向かってコンバータ側マウント１２０を覆うように広がる円環状の押え部３２２ａが設けられており、押え環３２０ａと鏡筒１１０とを噛み合わせると、この押え部３２２ａの被写体側の面がコンバータ側マウント１２０のマウント面に接触する。
【００２９】
コンバータ側マウント１２０のマウント面縁部には、上述した環状弾性部材３１０を収納するための切り欠き部１２１ａが設けられている。円環状の押え部３２２ａは、切り欠き部１２１ａに収納された環状弾性部材３１０のフランジ部３１１を覆い尽くすような大きさに形成されており、押え環３２０ａを鏡筒１１０にねじ込むことで、押え環３２０ａの押え部３２２ａが環状弾性部材３１０のフランジ部３１１に接触し、鏡筒１１０との間で光軸方向に挟み込むことができる。
【００３０】
このテレコンバータ１００はあらかじめバックフォーカス調整が行われたものであり、調整により決定された特定の厚みｄを持つ調整用スペーサ１３０ａが鏡筒１１０の後端面とコンバータ側マウント１２０との間に配置されている。コンバータ側マウント１２０と鏡筒１１０とにはそれぞれ貫通穴とビス穴が設けられており、コンバータ側マウント１２０は複数個のコンバータ側マウント固定ビス１４０によって固定される。調整用スペーサ１３０ａにもこれら貫通穴及びビス穴に対応する位置に貫通穴が設けられており、コンバータ側マウント１２０の貫通穴を貫通したコンバータ側マウント固定ビス１４０が調整用スペーサ１３０ａの貫通穴を通り、鏡筒１１０のビス穴に締め込まれることで、調整用スペーサ１３０ａをコンバータ側マウント１２０と鏡筒１１０との間に固定している。
【００３１】
図３は、本発明の一実施例であるテレコンバータ１００をカメラ本体２００に結合させた状態における、環状弾性部材３１０の周辺の拡大断面図である。テレコンバータ１００をカメラ本体２００に取り付けようとすると、コンバータ側のマウント面よりも不図示のカメラ撮像面寄りに伸長した円筒部３１２の先端が、カメラ側マウント２１０のマウント面に光軸方向に接触する。このままテレコンバータ１００とカメラ本体２００のいずれかを所定の方向に回転させると、双方のマウントのバヨネット爪が互いに噛み合い、テレコンバータ１００とカメラ本体２００とが結合される。
【００３２】
環状弾性部材３１０の先端は、上述したように、先端に近づくにつれて円筒部３１２の内径が増大するような曲面を有している。従って、テレコンバータ１００とカメラ本体２００とを結合した際には、環状弾性部材３１０はその先端曲面がカメラ側マウント２１０のマウント面に接触するように半径方向外側に広がるように弾性変形し、コンバータ側マウント１２０とカメラ側マウント２１０との間に噛み込まれることはない。さらに、この環状弾性部材３１０がカメラ側マウント２１０のマウント面に強く密着することで、水滴や塵埃がカメラ本体２００やテレコンバータ１００の内部に進入するのを防ぐ働きをする。
【００３３】
図４に示す断面図は、上述した図３のカメラシステムよりも大きなバックフォーカス調整が必要なテレコンバータ１００の防塵防滴機構周辺を拡大した図であり、図３に示した厚みｄの調整用スペーサ１３０ａよりも厚い厚みｅを持った調整用スペーサ１３０ｂに交換したものである。スペーサ以外は、図３に示したカメラシステムとまったく同じ構成となっている。
【００３４】
厚みの増した調整用スペーサ１３０ｂに交換すると、厚みｄと厚みｅの差分だけ鏡筒１１０がカメラ側マウント２１０から離れる。従来技術の防水機能を有したカメラアクセサリならば弾性部材とカメラ側のマウント面の間隔も同様の距離だけ離れてしまい、弾性部材がカメラ側のマウント面に密着する力が低下してしまう。最悪の場合には、弾性部材がカメラ側のマウント面に接触できず、防塵防滴の効果がまったく得られなくなる可能性もある。
【００３５】
しかし本実施例では、ねじ結合によって押え環３２０ａが鏡筒１１０に対して光軸方向に進退自在に保持される構造とすることより、厚みｄと厚みｅの差分だけ押え環３２０ａのねじを緩む方向に回し、環状弾性部材３１０とカメラ側マウント２１０との間の距離を維持する。これにより、調整用スペーサ１３０ｂへの交換による厚み増に伴う移動が相殺され、押え環３２０ａによってコンバータ側マウント１２０上に保持されている環状弾性部材３１０はカメラ本体２００に対して光軸方向に移動することなく、常に一定の密着力でカメラ側マウント２１０のマウント面に密着することが可能となる。これと同様に、スペーサの厚みが減少した場合にも、上記理由により環状弾性部材３１０は常に一定の密着力でカメラ側マウント２１０のマウント面に密着することができる。
【００３６】
図２乃至図４では環状弾性部材３１０と押え環３２０ａとの間にワッシャ３３０が配置されており、押え環３２０ａをねじ込む際の環状弾性部材３１０との間の摺動抵抗を低減させる働きをしている。しかし、ワッシャ３３０を使用しなくても、本発明の防塵防滴効果に大きな影響を及ぼすことがないことは明らかである。なお、図１中では図面が煩雑になるのを避けるために、このワッシャ３３０の記載を省略している。
【００３７】
また、本実施例の変形例として、以下の場合も考えられる。すなわち、本実施例の構成のうち、ねじの噛み合わせに替えて、図５に示すように複数の押え環固定ビス３４０ａにより押え環３２０ｂを固定する構成とし、環状弾性部材３１０を押え環３２０ｂの押え部３２２ｂとコンバータ側マウント１２０のマウント面との間に光軸方向に挟み込む。ここで、押え環３２０ｂに設けられる押え環固定ビス３４０ａ用の貫通穴を光軸方向に長い長穴３２３とすることによって、上述したねじ構造による保持と同様に押え環３２０ｂを光軸方向に進退自在に取り付けることが可能となり、調整用スペーサ１３０ａの厚みの増減に影響されない防塵防滴機能を発揮することができる。
【００３８】
上述した２つの実施例では、カメラアクセサリの一例としてテレコンバータに防塵防滴機構を適用したが、カメラアクセサリの他の実施例として交換レンズ鏡筒に適用しても上述した実施例と同様の効果が得られることは明らかである。
【００３９】
例えば図６に示すように、結合に使用されるマウント爪部の径はそのままにレンズ側マウント４１０の外径を大きく設計した交換レンズ４００に本発明を適用する場合を考える。このようにレンズ側マウント４１０の径を大きく設計するのは、例えば、大口径で重量のある交換レンズ４００を強固に結合するためにマウント部に高い強度が必要な場合や、交換レンズ４００内に超音波モータ等を搭載するスペースを設けるために交換レンズ４００の径を大きくする必要がある場合等が考えられる。このような場合で、さらに調整用スペーサ１３０ａを備えた交換レンズ４００については、上述してきた実施例と同様に交換レンズに保持された押え環で環状弾性部材を固定する方法も考えられるが、その他に以下の方法も考えられる。
【００４０】
すなわち、レンズ側マウント４１０の半径方向に拡大された環状領域のマウント面に複数個の押え環固定ビス３４０ｂによって押え環３２０ｃを直接固定する構成とする。押え環３２０ｃの半径方向の幅は、レンズ側マウント４１０の拡大された環状領域内に収まる大きさ、すなわち、結合されるカメラ側マウント２１０の外径よりも外側に広がる環状領域内に収まる大きさであり、半径方向内側に、環状弾性部材３１０をレンズ側マウント４１０のマウント面との間で光軸方向に挟み込む押え部３２２ｃを備えている。環状弾性部材３１０は、上述してきた実施例と同様にフランジ部３１１と円筒部３１２とを有したＬ字形断面を有しており、レンズ側マウント４１０のマウント面に設けられた切り欠き部１２１ｂに収納される。このフランジ部３１１をレンズ側マウント４１０のマウント面と押え環３２０ｃの押え部３２２ｃとの間に配置し、押え環固定ビス３４０ｂを締め込むことでレンズ側マウント４１０に対して固定する。
【００４１】
環状弾性部材３１０による防塵防滴の方法は、公知の手段を用いればよい。図６に示す実施例では上述してきた実施例と同様に、先端に近づくにつれ円筒部３１２の内径が増大するような曲面を有した環状弾性部材３１０をカメラ側マウント２１０のマウント面に強く密着させることで、交換レンズ４００とカメラ本体２００とを水密状態で結合し、水滴や塵埃が交換レンズ４００やカメラ本体２００の内部に進入するのを防止する。
【００４２】
このように、押え環３２０ｃをレンズ側マウント４１０に直接固定する構成とすることで、調整用スペーサ１３０ａの厚みの増減に伴うレンズ側マウント４１０の移動と共に、押え環３２０ｃ及び環状弾性部材３１０も移動するので、環状弾性部材３１０とカメラ側マウント２１０とが常に適切な距離を維持することができる。すなわち、押え環３２０ｃによってレンズ側マウント４１０上に保持されている環状弾性部材３１０は、常に一定の密着力でカメラ側マウント２１０のマウント面に密着することが可能となり、調整用スペーサ１３０ａの厚みの増減に影響されない防塵防滴効果を発揮することができる。
【００４３】
また上述した実施例の他に、ワイドコンバータに本発明を適用しても同様の効果を得ることが可能である。さらに、交換レンズ鏡筒に本発明を適用し、この交換レンズ鏡筒をテレコンバータに結合することで、交換レンズ鏡筒とテレコンバータとの間で防塵防滴効果を発揮させることも可能である。
【００４４】
本発明を実施のカメラアクセサリの防塵防滴機構によれば、弾性部材をアクセサリ側マウントと押え環との間で狭持し、この押え環をアクセサリ側マウントと一体で光軸方向に進退可能な構造とすることで、アクセサリ本体とアクセサリ側マウントとの間に配置されるバックフォーカス調整用スペーサの調整量増減の影響を受けず、アクセサリ側マウント及びカメラ側マウントの構造への大きな加工が不要で、さらに弾性部材の交換が容易な簡単な構成の防塵防滴機構を備えたカメラアクセサリを提供することができる。
【図面の簡単な説明】
【００４５】
【図１】本発明の一実施形態であるテレコンバータと、テレコンバータが装着されるカメラ本体の外観を示した斜視展開図である。
【図２】図１に示したテレコンバータに備えられた防塵防滴機構の主要部品の断面図である。
【図３】図１に示したテレコンバータをカメラ本体に装着したときの機構周辺の拡大図である。
【図４】図３の構成において調整用スペーサの厚みが増加したものに変更したときの機構周辺の拡大図である。
【図５】本発明の他の実施形態であるテレコンバータをカメラ本体に装着したときの機構周辺の拡大図である。
【図６】本発明の他の実施形態である交換レンズをカメラ本体に装着したときの機構周辺の拡大図である。
【符号の説明】
【００４６】
１００      テレコンバータ
１１０      鏡筒
１１１      雄ねじ部
１２０      コンバータ側マウント
１３０ａ    調整用スペーサ
１３０ｂ    調整用スペーサ
２００      カメラ本体
２１０      カメラ側マウント
３１０      環状弾性部材
３１１      フランジ部
３１２      円筒部
３２０ａ    押え環
３２１      雌ねじ部
【図１】
2009300928.tif 000003
【図２】
2009300928.tif 000004
【図３】
2009300928.tif 000005
【図４】
2009300928.tif 000006
【図５】
2009300928.tif 000007
【図６】
2009300928.tif 000008